(57)【要約】【課題】作業台の足場板上で作業をする時に、前後方向に長い足場板の前後端やその中間部位等のどの位置においても昇り降りでき、それにより能率良く作業ができるようにした作業台を提供する。【解決手段】長辺Ｌと短辺Ｓとからなる長方形に形成された足場板１の長辺Ｌ側端部に左右一対の脚体２，３が設けられ、両脚体２，３は夫々前後一対の支柱４，４からなり、少なくとも一方の脚体２は、両支柱４，４に踏杆６を横架して梯子を形成している。【選択図】図１
2005256459.tif 000002
【特許請求の範囲】
【請求項１】
長辺と短辺とからなる長方形に形成された足場板の長辺側端部に左右一対の脚体が設けられ、両脚体は夫々前後一対の支柱からなるもので、少なくとも一方の脚体は、両支柱に踏杆を横架して梯子を形成してなることを特徴とする作業台。
【請求項２】
左右両脚体の何れか一方が床面に対しほぼ直角となるように形成されてなることを特徴とする請求項１に記載の作業台。
【請求項３】
左右両脚体は足場板の長辺側端部に夫々枢着され、両脚体間には両脚体をつなぐ連結枠が介設され、連結枠の両端部は、この連結枠が両脚体間に挟まれて互いに平行に重合し且つ足場板が一方の脚体と同一平面状に延伸した状態に折り畳まれるように、両脚体に枢着されてなることを特徴とする請求項１又は２に記載の作業台。
【発明の詳細な説明】
【技術分野】
【０００１】
本発明は、足場板に一対の脚体を設けてなる作業台に関する。
【背景技術】
【０００２】
従来の作業台としては、例えば特許文献１に記載されているようなものがある。この作業台は、長辺と短辺とからなる長方形に形成された前後方向に長い足場板の夫々短辺側端部に、前後一対の脚体を回転連結金具を介して折り畳み自在に枢着してなるものであり、各脚体は、左右一対の支柱に踏杆を横架して梯子を形成している。尚、特許文献１は、従来の作業台の単なる一例であって、従来の作業台のほとんどが、そのような構造のものである。
【特許文献１】実用新案登録第２５９５９７８号公報
【発明の開示】
【発明が解決しようとする課題】
【０００３】
従来の作業台によれば、前後方向に長い長方形の足場板の短辺側端部（前後端部）に、夫々梯子を形成した前後一対の脚体が取り付けてあって、その短辺側端部より足場板に対して昇り降りするようになっているから、例えば建物の壁面工事を行うにあたって、複数の作業台を、その短辺側端部どうしが突き合うように一列状に並べて使用する場合には、その昇降口は、一列状に並んだ作業台において相当にかけ離れた足場板群の両端部にしか存在せず、従ってこの作業台列の中央部側で作業を終えたり、再開するために昇り降りする時には、昇降口が遠くなって、迂回しなければならず、作業能率が非常に悪くなる、と言う問題があった。
【０００４】
本発明は、上記の課題に鑑み、作業台の足場板上で作業をする場合に、前後方向に長い足場板の前後端やその中間部位等のどの位置においても昇り降りでき、それによって非常に能率良く作業が行えるようにした作業台を提供することを目的とする。
【課題を解決するための手段】
【０００５】
上記課題を解決するための手段を、後述する実施形態の参照符号を付して説明すると、請求項１に係る発明の作業台は、長辺Ｌと短辺Ｓとからなる長方形に形成された足場板１の長辺Ｌ側端部に左右一対の脚体２，３が設けられ、両脚体２，３は夫々前後一対の支柱４，４からなるもので、少なくとも一方の脚体２は、両支柱４，４に踏杆６を横架して梯子を形成してなることを特徴とする。
【０００６】
請求項２は、請求項１に記載の作業台において、左右両脚体２，３の何れか一方が床面Ｆに対しほぼ直角となるように形成されてなることを特徴とする。
【０００７】
請求項３は、請求項１又は２に記載の作業台において、左右両脚体２，３は足場板１の長辺Ｌ側端部に夫々枢着され、両脚体２，３間には両脚体２，３をつなぐ連結枠１０が介設され、連結枠１０の両端部は、この連結枠１０が両脚体２，３間に挟まれて互いに平行に重合し且つ足場板１が一方の脚体３と同一平面状に延伸した状態に折り畳まれるように、両脚体２，３に枢着されてなることを特徴とする。
【発明の効果】
【０００８】
上記解決手段による発明の効果を、後述する実施形態の参照符号を付して説明すると、請求項１に係る発明の作業台によれば、長辺Ｌと短辺Ｓとからなる長方形の足場板１の長辺Ｌ側端部に左右一対の脚体２，３を設け、両脚体２，３のうち少なくとも一方の脚体２が、両支柱４，４に踏杆６を横架して梯子を形成していることから、足場板１の長辺Ｌ側端部に設けた梯子を昇降口として、足場板１に対する昇り降りを行うことになるが、この場合、足場板１の長手方向に沿ったどの位置からも直接昇り降りできるため、作業台の使用による各種作業を能率良く行うことができる。
【０００９】
また、例えば建物の壁面工事を行うにあたって、複数の作業台を足場板１の短辺Ｓ側端部どうしが突き合うように一列状に並べて使用する場合に、作業員が昇り降りする昇降口は、一列状に並んだ複数の作業台において各作業台の足場板１の長辺Ｌ側に存在するから、この作業台列の例えば真ん中で作業を終えたり、その作業を再開したりするために昇り降りするような時は、その作業を終えたり再開する位置で直接昇り下りすることができ、非常に能率良く作業が行える。
【００１０】
請求項２に係る発明の作業台によれば、左右両脚体２，３の何れか一方が床面Ｆに対しほぼ直角となるように形成されているから、この作業台を例えば壁面工事に使用する場合に、床面Ｆに対してほぼ直角となる方の脚体を壁面に接近させることにより、その壁面と足場板１との隙間が狭くなって、足場板１上での作業を安全に行うことができる。
【００１１】
請求項３に係る発明によれば、作業台を折り畳む時は、連結枠１０が両脚体２，３の間に挟まれて互いに平行に重合すると共に足場板１が一方の脚体３と同一平面状に延伸することによって、作業台全体が略々１枚の板状に折り畳まれた状態となり、従って作業台を収納する場合に多数の作業台を多段状に有効に積み重ねることができ、コンパクトに収納保管することができる。
【発明を実施するための最良の形態】
【００１２】
以下に本発明の好適な実施形態について図面を参照しながら説明すると、図１の(a) は本発明に係る作業台の使用状態での正面図、(b) は同使用状態での平面図、図２の(a) は同使用状態での側面図、(b) は同作業台を折り畳んだ状態での側面図であり、また図３の(a) は図２の(a) の矢印Ａで囲まれる部分の拡大図、(b) は同じく矢印Ｂで囲まれる部分の拡大図、(c) は図１の(a) の矢印Ｃで囲まれる部分の拡大図、(d) は同部分を裏側から見た図面である。
【００１３】
この作業台は、図１の(b) から分かるように長辺Ｌと短辺Ｓとからなる長方形に形成された足場板１の長辺Ｌ側端部に左右一対の脚体２，３を設けてなるもので、両脚体２，３は夫々、前後一対の支柱４，４によって構成されると共に、両支柱４，４に踏杆６を複数段に横架することによって梯子を形成している。各支柱３の下部には伸縮脚６が出退自在に設けてあって、この伸縮脚６は図示しないロック手段によって所要位置で固定できるようになっている。各脚体２，３の前後両支柱４，４は、図１の(a) に示すように、下部側の間隔が上部側の間隔よりも僅かに広い末広がり状に形成されている。
【００１４】
図２の(a) 及び(b) から分かるように、左右両脚体２，２は、足場板１の長辺Ｌ側端部に連結金具８，９を介して夫々回転可能に取り付けられており、そして両脚体２，３間には両脚体２，３をつなぐ連結枠１０が介設され、この連結枠１０の両端部は、図２の(b)
に示すように、当該連結枠１０が両脚体２，３間に挟まれて互いに平行に重合し且つ足場板１が一方の脚体３と同一平面上に延伸した状態に折り畳まれるように、両脚体２，３に枢着されている。この連結枠１０は、図１の(b) に示すように前後一対設けてあって、各連結枠１０の両端部が支柱４，４に夫々枢着されている。
【００１５】
この作業台では、両脚体２，３の何れも梯子を形成しているから、図２の(a) に示すように、床面Ｆ（水平面）に対する各脚体２，３の傾斜角度αは例えば７５°である。
【００１６】
連結金具８は、図３の(a) に示すように、足場板１側に取り付けられる足場板側金具１１と脚体２側に取り付けられる脚体側金具１２とを枢軸１５により枢支連結したもので、脚体側金具１２の上端部には、脚体２が足場板１に対して図２の(a) に示すような作業台使用位置に開脚した状態で足場板側金具１１の当たり面１７に当接してそれ以上の回動を阻止する当たり面１８が設けられている。連結金具９は、図３の(b) に示すように、足場板１側に取り付けられる足場板側金具１３と脚体３側に取り付けられる脚体側金具１２とを枢軸１６によって枢支連結したものである。
【００１７】
図３の(c) 及び(d) に示すように、各脚体２，３の支柱４と踏杆６との連結部にはその表側（図３の(c) ）及び裏側（図３の(d) ）に補強ブラケット１９，２０が取り付けられている。
【００１８】
また、図１の(a) に仮想線で示すように、各脚体２，３の梯子を形成する複数の踏杆６の中間部に縦桟２２を取り付けることによって、梯子の補強をすることができる。
【００１９】
上記のような構成よりなる作業台の使用にあたり、両脚体２，３を、図１の(a) ，(b)
及び図２の(a) に示すように側面視略ハの字状に開脚した状態とし、そして作業台の使用においては、足場板１の長辺Ｌ側端部に脚体２，３が設けてあって、各脚体２，３が梯子を形成していることから、この足場板１の長辺Ｌ側端部を昇降口として、足場板１に対する昇り降りを行うことになるが、この場合、足場板１の長手方向に沿って前端部、後端部及びその中間部の何れの位置からも直接昇り降りできるため、作業台の使用による各種作業をきわめて能率良く行うことができる。
【００２０】
また、例えば建物の壁面工事を行う場合は、複数の作業台をその短辺Ｓ側端部どうしが突き合うように一列状に並べて使用することが多いが、この場合、作業員が昇り降りする昇降口は、一列状に並んだ複数の作業台において各作業台の足場板１の各長辺Ｌ側に存在するから、この作業台列の例えば真ん中で作業を終えたり、その作業を再開したりするために昇り降りする時には、その作業を終えたり再開する位置にて直接昇り下りすることができ、非常に能率良く作業を行うことができる。
【００２１】
この作業台を折り畳む時は、図２の(b) から分かるように、連結枠１０が両脚体２，３の間に挟まれて互いに平行に重合すると共に足場板１が一方の脚体３と同一平面状に延伸することによって、作業台全体が略々１枚の板状に折り畳まれた状態となる。従って、作業台を収納する場合には多数の作業台を多段状に有効に積み重ねることができ、コンパクトに収納保管することができる。
【００２２】
図１〜図３に示す実施形態の作業台は、左右一対の脚体２，３の何れも、両支柱４，４に踏杆６を横架して梯子を形成したものであるが、図４及び図５に示す作業台は、両脚体２，３のうちの一方の脚体２のみが梯子を形成している実施形態を示す。この図４の(a)
は同作業台の使用状態を示す正面図、(b) は同使用状態での平面図、図５の(a) は同使用状態での側面図であり、(b) は同作業台を折り畳んだ状態での側面図である。
【００２３】
この図４及び図５に示す作業台では、一方の脚体２は、図１〜図３の作業台と同じく両支柱４，４に踏杆６を複数段に横架して梯子を形成してなり、他方の脚体３は、前後一対の支柱４，４と両支柱４，４の下端部同士をつなぐ下枠５とから構成されたものであり、各支柱４と下枠５との連結部には表裏両側に補強ブラケット１９，２０が取り付けられている。このように両脚体２，３のうち片方の脚体２のみが梯子を形成している点以外は、図１〜図３の作業台と全く同じ構成となっているため、同一構成部材には同一符号を付して、その説明を省略する。
【００２４】
このように左右一対の脚体２，３の片方のみが梯子を形成している作業台にあっては、図５の(a) に示すように、梯子を形成している方の脚体２の、床面Ｆに対する傾斜角度αは図１〜図３の作業台と同じく７５°であるが、梯子を形成していない方の脚体３の傾斜角度βは、床面Ｆに対し直角に近い（ほぼ直角の）、例えば８５°となっている。
【００２５】
このように片方の脚体２のみが梯子を形成している作業台であって、梯子を形成していない方の脚体３の傾斜角度が直角に近い角度となるように構成された作業台は、建物の壁面工事を行うような場合に有効である。つまり、このような壁面工事では、両脚体２，３のうちの一方を壁面に接近させるから、接近させた方の脚体は梯子として使用せず、しかも床面に対する傾斜角度が直角に近いと、足場板１と壁面との隙間が狭くなって、足場板１上での作業が安全に行えるからである。
【００２６】
図４及び図５に示す実施形態では、左右両脚体２，３の一方の脚体２は梯子を形成し、他方の脚体３は梯子を形成せず、しかも床面Ｆに対する傾斜角度をほぼ直角としたが、この床面Ｆに対する傾斜角度がほぼ直角となる方の脚体３も、前記一方の脚体２と同じ様に梯子を形成してもよく、そうすることによってこの脚体３は上記のような壁面工事では壁面との隙間が狭くなって安全に作業が行える一方、通常の使用においては両脚体２，３ともに梯子として使用することができる。
【００２７】
以上の実施形態では、両脚体２，３を足場板１の長辺Ｌ側端部に折り畳みできるように枢着しているが、両脚体２，３を足場板１の長辺Ｌ側端部に夫々固定的に取り付けてもよい。
【図面の簡単な説明】
【００２８】
【図１】(a) は本発明に係る作業台の使用状態での正面図、(b) は同使用状態での平面図である。
【図２】(a) は同使用状態での側面図、(b) は同作業台を折り畳んだ状態での側面図である。
【図３】(a) は図２の(a) の矢印Ａで囲まれる部分の拡大図、(b) は同じく矢印Ｂで囲まれる部分の拡大図、(c) は図１の(a) の矢印Ｃで囲まれる部分の拡大図、(d) は同部分を裏側から見た図面である。
【図４】(a) は同作業台の使用状態を示す正面図、(b) はその平面図である。
【図５】(a) は同使用状態での側面図、(b) は同作業台を折り畳んだ状態での側面図である。
【符号の説明】
【００２９】
１          足場板
Ｌ          足場板の長辺
Ｓ          足場板の短辺
２，３      脚体
４          脚体の支柱
６          踏杆
１０        連結枠
【図１】
2005256459.tif 000003
【図２】
2005256459.tif 000004
【図３】
2005256459.tif 000005
【図４】
2005256459.tif 000006
【図５】
2005256459.tif 000007